(57)【特許請求の範囲】
【請求項１】
口頸部３を起立する容器体１と、上記口頸部外面へ螺合させた装着筒22上端の内向きフランジ23と口頸部上端面とで、上端部に付設した外向きフランジ13を挟持させて容器体内へ垂下させた吸込み弁付きのシリンダ12内から、下端部に筒状ピストンを有する吐出筒15を、上方付勢させて起立する縦型ポンプ11と、上記吐出筒15の上部外面へ、下方筒部を嵌合させてノズル32を連結し、該ノズル外面に付設したフランジ状の受板33外周部から第３係合筒34を起立するノズル付き板状の支持部材31と、芳香等放出窓孔44を外周部に有する頂板42外周部から垂下筒42ａを垂下し、該筒を上記第３係合筒34へ嵌合させ、該第３係合筒を介して支持部材31を、かつ該支持部材を介して吐出筒15を、押下げ可能に設けたキャップ状押下げ部材41とを有し、上記支持部材31のフランジ状受板33の中間部ないし外周部に、上面開溝の凹溝を周設すると共に、該凹溝上方の押下げ部材頂板42部分から第５係合筒43を垂下し、上記凹溝内へ下部を、又第５係合筒43へ上部を、それぞれ嵌合させて筒状に形成した吸水部材51を設け、上記第５係合筒43よりも外方の頂板部分に芳香放出窓孔44を穿設したことを特徴とする芳香放出容器。
【請求項２】
装着筒22の内向きフランジ23を外方へ延長して設けた外向きフランジ状部外周から、支持部材31および押下げ部材下部を挿入させ、かつ押下げ部材上部は上方突出させて周壁を起立し、該周壁上端へ開閉自在に肉薄ヒンジ62を介して付設した蓋体61により、押下げ部材上部を覆合させて周壁上端面を閉塞させたことを特徴とする、請求項１記載の芳香放出容器。
【請求項３】
装着筒22上端の内向きフランジ23を外方へ延長して設けた外向きフランジ状板24を円板状として、該フランジ状板外周部から円筒71を起立すると共に、支持部材31の受板33の外周部から起立する第３係合筒34を円筒状となし、かつ該第３係合筒下部を上記円筒71の上部内へ上下動可能に、かつ円筒71に対して回動可能に嵌合させ、第３係合筒34の下部外面一部に、下面および外面を開溝する低横長溝73と、該低横長溝の一端上面から上方へ連通して起立する高溝74とを穿設し、又上記円筒の下部内面には低横長溝上面までのほぼ同一高さでかつ高溝74内へ遊挿可能な横巾の突条72を、上記第３係合筒の正逆回動により低横長溝内を左右へ移動可能に付設したことを特徴とする、請求項１又は２記載の芳香放出容器。
【請求項４】
縦型ポンプ11のシリンダ上部に、筒状ピストン16により通常閉塞されている外気吸入孔14を穿設して、筒状ピストン下降時においては、シリンダ側の上部内面と吐出筒外面との間隙が形成する外気吸入路を通って装着筒22上方の外気が容器体内へ流入可能としておき、支持部材31の受板33基部に透孔37を穿設し、該透孔を通って流下した液体が上記外気吸入路を通って容器体内へ還流可能に、装着筒22の内向きフランジの外周ないし該フランジを外方へ延長した外向きフランジ状板24から第１液洩れ防止用筒部を起立したことを特徴とする、請求項１、２又は３記載の芳香放出容器。
【請求項５】
第１液洩れ防止用筒部上方のフランジ状受板33部分から第２液洩れ防止用筒部を垂下して、該筒部の先端部に弾性リング66を固着させ、該弾性リングの一端部から突設した弾性フランジ状板67の先端部を第１液洩れ防止用筒部として内周壁29ａ内壁面へ水密に、かつ摺動自在に圧接させて液洩れ防止弁を形成したことを特徴とする、請求項４記載の芳香放出容器。
【発明の詳細な説明】
【０００１】
【発明の属する技術分野】
本発明は、芳香液、消臭液等を容器体内へ収納させておき、それ等液体が気化することで生じた芳香等を放出させるための容器に関する。
【０００２】
【従来の技術】
例えば実開昭48-68660号、実公昭60-13477号等が示すように、容器体内へ収納させた気化性液体内へ、容器体口部上へ載置させた吸水部材から垂設させた吸上げ部下端を挿入させ、上記液体を吸上げ部を介して、吸水部材に吸上げ、該吸水部材が吸込んだ液体を気化させて放出している。
【０００３】
【発明が解決しようとする課題】
本発明は、液体噴出容器に用いられている縦型ポンプを用いて、容器の頂部が有するキャップ状の押下げ部材を押下げすると、上記縦型ポンプにより容器体内芳香水が上記押下げ部材下方に付設された板状支持部材上に載置された吸水部材に供給され、該芳香水は気化により上記押下げ部材に設けた窓孔から放出されるよう設けたものであり、又併せて上記押下げ部材を透明ないし半透明かつドーム状として、上記ポンプによる芳香水供給状態が見えるように、容器外見も向上できるように、更に吸水部材からの芳香水の気化が良好に行われるよう、更に又上記押下げ部材の不用意な押下げによる、無駄な芳香水の放出を防止できるよう、その他後述するところから理解できるように種々の機能を併せ有する便利な芳香放出容器を提案するものである。
【０００４】
【課題を解決するための手段】
第１の手段として口頸部３を起立する容器体１と、上記口頸部外面へ螺合させた装着筒22上端の内向きフランジ23と口頸部上端面とで、上端部に付設した外向きフランジ13を挟持させて容器体内へ垂下させた吸込み弁付きのシリンダ12内から、下端部に筒状ピストンを有する吐出筒15を、上方付勢させて起立する縦型ポンプ11と、上記吐出筒15の上部外面へ、下方筒部を嵌合させてノズル32を連結し、該ノズル外面に付設したフランジ状の受板33外周部から第３係合筒34を起立するノズル付き板状の支持部材31と、芳香等放出窓孔44を外周部に有する頂板42外周部から垂下筒42ａを垂下し、該筒を上記第３係合筒34へ嵌合させ、該第３係合筒を介して支持部材31を、かつ該支持部材を介して吐出筒15を、押下げ可能に設けたキャップ状押下げ部材41とを有し、上記支持部材31のフランジ状受板33の中間部ないし外周部に、上面開溝の凹溝を周設すると共に、該凹溝上方の押下げ部材頂板42部分から第５係合筒43を垂下し、上記凹溝内へ下部を、又第５係合筒43へ上部を、それぞれ嵌合させて筒状に形成した吸水部材51を設け、上記第５係合筒43よりも外方の頂板部分に芳香放出窓孔44を穿設した。
【０００５】
第２の手段として、上記第１の手段を有すると共に装着筒22の内向きフランジ23を外方へ延長して設けた外向きフランジ状部外周から、支持部材31および押下げ部材下部を挿入させ、かつ押下げ部材上部は上方突出させて周壁を起立し、該周壁上端へ開閉自在に肉薄ヒンジ62を介して付設した蓋体61により、押下げ部材上部を覆合させて周壁上端面を閉塞させた。
【０００６】
第３の手段として、上記第１又は第２の手段を有すると共に装着筒22上端の内向きフランジ23を外方へ延長して設けた外向きフランジ状板24を円板状として、該フランジ状板外周部から円筒71を起立すると共に、支持部材31の受板33の外周部から起立する第３係合筒34を円筒状となし、かつ該第３係合筒下部を上記円筒71の上部内へ上下動可能に、かつ円筒71に対して回動可能に嵌合させ、第３係合筒34の下部外面一部に、下面および外面を開溝する低横長溝73と、該低横長溝の一端上面から上方へ連通して起立する高溝74とを穿設し、又上記円筒の下部内面には低横長溝上面までのほぼ同一高さでかつ高溝74内へ遊挿可能な横巾の突条72を、上記第３係合筒の正逆回動により低横長溝内を左右へ移動可能に付設した。
【０００７】
第４の手段として、上記第２又は第３の手段を有すると共に縦型ポンプ11のシリンダ上部に、筒状ピストン16により通常閉塞されている外気吸入孔14を穿設して、筒状ピストン下降時においては、シリンダ側の上部内面と吐出筒外面との間隙が形成する外気吸入路を通って装着筒22上方の外気が容器体内へ流入可能としておき、支持部材31の受板33基部に透孔37を穿設し、該透孔を通って流下した液体が上記外気吸入路を通って容器体内へ還流可能に、装着筒22の内向きフランジの外周ないし該フランジを外方へ延長した外向きフランジ状板24から第１液洩れ防止用筒部を起立した。
【０００８】
第５の手段として、上記第１、第２、第３、又は第４の手段を有すると共に第１液洩れ防止用筒部上方のフランジ状受板33部分から第２液洩れ防止用筒部を垂下して、該筒部の先端部に弾性リング66を固着させ、該弾性リングの一端部から突設した弾性フランジ状板67の先端部を第１液洩れ防止用筒部として内周壁29ａ内壁面へ水密に、かつ摺動自在に圧接させて液洩れ防止弁を形成した。
【００１３】
【発明の実施の形態】
以下まず図１および図２が示す第１実施形態について説明すると、１は胴部２上端から肩部を介して口頸部３を起立する容器体である。胴部上端には第１上向き段部４を形成している。
【００１４】
上記容器体内へは公知の縦型ポンプ11のシリンダ12を垂下させている。該シリンダは図示例において上端に付設した外向きフランジ13を上記口頸部３の上端面へ載置させて垂下するが、その外向きフランジ外周から容器体口頸部外面へ螺合させる後述の装着筒を垂下してもよい。該シリンダは図２が示すようにその上部に外気吸入孔14を有し、該外気吸入孔は、通常そのシリンダ内から上方付勢されて起立する吐出筒15下端の筒状ピストン16により閉塞されているが、図示のように吐出筒下降時において開口し、このときシリンダの上部内面および図示例にあってはシリンダ上端部内面へ嵌合させた抜止め筒17の内面と、吐出筒外面との間を通ってシリンダ上方の外気がその外気吸入孔14を通って容器体内へ流入可能としている。尚シリンダ底部内には吸込み弁18が、又吐出筒上部内には吐出弁19が、それぞれ設けられている。
【００１５】
既述装着筒を、図示例では基筒部材21の一部をして形成している。該部材は口頸部外面へ螺合させた装着筒22上端から内向きフランジ23を突設してその内向きフランジと口頸部上端面とで上記シリンダ上端の外向きフランジ13を挟持し、その内向きフランジは外向きフランジ状に外方へ延長し、該外向きフランジ状板24外周から円筒状の外周壁25を垂設してその下端を既述容器体胴部上端の第１上向き段部４上へ載置し、又その外向きフランジ状板24の外周にも第２上向き段部26を形成して該段部内周から第１係合筒27を起立し、該第１係合筒と内向きフランジ内周との半径方向中間から第２係合筒28を起立して、これ等で基筒部材21を形成している。
【００１６】
31は、板状の支持部材で、吐出筒15上部へ下部を嵌合させたノズル32からフランジ状の受板33を突出し、該受板外周部から第３係合筒34を起立する。又その受板の半径方向中間部下面からは第４係合筒35を垂下して、既述第２係合筒28内面へ上下動可能に嵌合させている。ノズル32はその内面下部と中間部とに下向き段部を有し、その下方下向き段部を吐出筒上部外面に周設した上向き段部へ係合させ、又上方下向き段部を吐出筒の上端面へ係合させて、その吐出筒15とノズル32とを連通させ、ノズル32の下降で吐出筒15が共に押されて下降するよう設けている。図示例ではノズル下端から外向きフランジ状張出し板を介して筒部36を起立し、該筒部上端から上記フランジ状の受板33を突出し、又上記張出し板に適当数の透孔37を穿設するが、フランジ状の受板33は例えばノズル中間部外面から直接突設してもよく、この場合はその受板基部に透孔37を穿設する。
【００１７】
41はキャップ状の押下げ部材で、図示例では透明ないし半透明の合成樹脂製とすると共にその頂板42をドーム状とし、その中央部を囲んで第５係合筒43を垂下し、又該第５係合筒との間に芳香等放出窓孔44を穿設した間隙部分をおいて第６係合筒45を、更に該第６係合筒との間に小間隙をおいて、第７係合筒46を垂下し、それ等第６係合筒と第７係合筒とで既述支持部材の第３係合筒34を挟着し、該挟着で支持部材31と押下げ部材41とを連結している。ドーム状とした頂板42の外周が形成する垂下筒42a 下部は基筒部材21の第１係合筒27の上端部外面へ下降および上昇可能に嵌合させてあり、その垂下筒42a 下端面と基筒部材21の第２上向き段部26上面と、それ等両面間の第１係合筒27部分外面とは外周面開口の凹溝47を形成し、該凹溝内へはその凹溝底面の直径よりも短かい開口部を有し、かつその凹溝底面の直径よりも僅かに大きい直径を有する平面Ｃ字形状の弾性ストッパ48を着脱自在に嵌合させている。尚押下げ部材41は必ずしも透明等でなくともよく、又頂板はドーム状でなくてもよい。この場合垂下筒42a は頂板外周から垂下することとなる。
【００１８】
既述フランジ状の受板33上へは、中心部に挿通孔52を有する円形マット状の吸水部材51を、その挿通孔内へノズル32上部を挿通させて水平に載置している。該吸水部材は紙、或いはスポンジ等で形成すればよい。
【００１９】
上記構成において、まず弾性ストッパ48を外し、次に押下げ部材41頂部を押下げると、板状の支持部材31が共に押下げられることで、該部材のノズル32が縦型ポンプ11の吐出筒15をシリンダ12に対して押下げ、するとシリンダ12内の芳香等の液体がノズル32上端から吐出され、吐出液体は押下げ部材の頂板42下面にぶつかる等して吸水部材51に吸水される。押下げ部材41を離すと吐出筒15は上方付勢されているため上昇し、支持部材31および押下げ部材41を共に押上げる。このときシリンダ内負圧化で吸込み弁18を通って容器体内液体が流入する。
【００２０】
上記吸水部材に吸水された芳香液等は気化により芳香等放出窓孔44から放出される。上記ノズルからの液体吐出量が多く、吸水部材51に吸収されなかった液体は、フランジ状の受板33基部の透孔37を通って流下し、更に吐出筒15の外面とシリンダ側上部、つまりシリンダ上部および抜止め筒17内面との間の外気吸入路内へ入り、図２が示すように吐出筒15と共に筒状ピストン16が下降したとき、外気吸入孔14を通って容器体１内へ還流する。
【００２１】
図３は第２実施形態を示す。該実施形態は、主として基筒部材21と、支持部材31と、押下げ部材41と、吸水部材51とを異にし、容器体１および縦型ポンプ11は第１実施形態の場合と同様であり、同一部分については同一符号を説明を省略する。
【００２２】
図３の基筒部材21は、容器体口頸部外面へ螺合させた装着筒22上端の内向きフランジ23を外方へ外向きフランジ状に延長し、該延長部外周から、支持部材31および押下げ部材41の下部を内部に挿入させて内周壁29a を起立し、該内周壁上端から外向きフランジ状板を介して外周壁29b を垂下し、該外周壁下端を容器体肩部の外周部上面へ載置させている。又上記外向きフランジ状板の外縁一部へ肉薄ヒンジ62を介して蓋体61を付設し、その肉薄ヒンジを中心とする蓋体回動により上記内外両周壁上面を開閉可能とし、その開閉により押下げ部材上部を露出し、又覆合可能に設けている。尚63は指掛け部である。
【００２３】
支持部材31は、ノズル32の上部外面に付設した張出し板部外周から短筒64を垂下し、該短筒の中間部外面から更に受板33を突出し、該板の先端部を残してその内方から上下へ第３および第８係合筒34、65を突設し、その第３係合筒34外面へは押下げ部材頂板の垂下筒42a を嵌着し、又第８係合筒65外面へは、弾性リング66を固着させ、かつ該リングの外面下端から下外方へ突設した弾性フランジ状板67先端を、既述内周壁29a の内面へ圧接させて液洩れ防止弁を形成している。この場合上記内周壁29a が第１液洩れ防止用筒部を、又第８係合筒65が第２液洩れ防止用筒を、それぞれ形成することとなる。
【００２４】
又吸水部材51は筒状とし、該筒部下端を上記短筒64上部外面と、第３係合筒34の下部内面に付設した突部との間で挟持させ、かつ筒上部は押下げ部材頂壁から垂下する第５係合筒43外面へ嵌合させている。
【００２５】
該第２実施形態の場合は、蓋体61を開いた状態で押下げ部材41を押下げることで、第１実施形態の場合と同様にノズルから液体を噴出でき、該噴出液体を吸水部材51に吸込みさせ、該吸込みされた液体気化により芳香等放出窓孔44から放出する。余分に放出された液体は既述張出し板部に穿設された透孔37を通って垂下し、第１実施形態の場合と同様に容器体内へ還流する。
【００２６】
尚液洩れ防止弁は、基筒部材21の内向きフランジ23等と支持部材31との間に残った液体が、容器体倒立時等に洩れないよう設けたものである。該実施形態にあっては、蓋体61を閉塞させておくことで、押下げ部材41の押下げを不能とすることが出来る。
【００２７】
図４は第３実施形態を示す。該実施形態は、主として基筒部材21と、支持部材31とを、他の実施形態と異にし、その他部分は第１又は第２実施形態の場合とほぼ同様であり、よって同一部分については符号を同一とすることで説明を省略する。  該第３実施形態において、基筒部材21は、内向きフランジ23を外方へ延長させた外向きフランジ状板24外周から円筒71を起立し、かつその円筒の下部内面一部に図５が示すような突条72を付設している。
【００２８】
又支持部材31の第３係合筒34下部外面一部に、下面および外面を開溝する低横長溝73を穿設し、かつその溝の一端上面から高溝74を起立する。上記突条72は低横長溝73上面までとほぼ同一高さでかつ高溝74内へ遊挿可能な横巾として、第３係合筒34の回動により低横長溝内を左右方向へ移動自在に嵌合させ、該突条72を高溝下方の低横長溝73一端に位置させた状態から第３係合筒34が下降すると、その突条上部は高溝74内へ遊挿可能としている。第３係合筒34の上部内へは押下げ部材頂板の垂下筒42a を嵌着させている。
【００２９】
図示例において支持部材31のフランジ状の受板33外周部はリング状に凹陥して周設された深溝75を形成し、該溝内に筒状とした吸水部材51下部を嵌合させ、第５係合筒43の下部外面へその上部を嵌合させている。又内向きフランジ23の外周部からは第９係合筒76を起立し、該筒上端に上端を連結した二重筒状の弾性リング77を嵌着させ、その外筒から起立した弾性フランジ状板先端を上記深溝75内壁の内面へ圧接させて液洩れ防止弁としている。
【００３０】
該実施形態の場合は、図５が示すように高溝74下方に突条72を位置させた状態でだけ、押下げ部材41を介してポンプ操作が出来、二点鎖線が示すように突条72を低横長溝73の他方側部へ移動させると、その突条上端面が低横長溝73上面へ接して上記押下げが不能となり、上記ポンプ操作も不能となる。尚それ等突条および溝を設ける場合は、突条と長溝との位置関係による、押下げ部材ロック位置とオープン位置と高溝74とを示す目印78,79,80を円筒71と第３係合筒34の各外面へ付設することが望ましい。
【００３１】
【発明の効果】
本発明は既述構成とするもので、請求項１記載のように、容器体内から縦型ポンプ11の吐出筒15を起立し、その吐出筒上部には支持部材31に設けたノズル32を嵌合させ、又該支持部材には芳香等放出窓孔44を頂板42に有するキャップ状の押下げ部材41を嵌合させると共に上記支持部材の受板33上へ吸水部材51を載置させたから、押下げ部材を介して支持部材および吐出筒を上下動させることで吸水部材への芳香液体の供給が容易であり、吸水部材の含水量減少によって放出される芳香等の量が減少すれば直ちに上記ポンプ操作で芳香水等を補給でき、又縦型ポンプ11はその構造上必ず吸込み弁と吐出弁とを有するから、ポンプ操作を行わない限り吐出筒15を通って容器体内芳香液等が気化により放出されることがなく、芳香液等が無駄に消費されることがない。又吸水部材を筒状として、受板33の中間部ないし外周部に周設した凹溝内へその筒状吸水部材下部を嵌合させると共にその上部を押下げ部材の頂板から垂下する筒へ嵌合させることで支持部材31および押下げ部材41外径を小径化でき、容器全体ないし容器全体のうち上部、つまり上記支持部材および押下げ部材部分を小形化することが出来る。
【００３６】
請求項２記載のように装着筒の内向きフランジを外方へ延長して設けた外向きフランジ状部外周から、支持部材および押下げ部材下部を挿入させて周壁を起立し、該周壁上端に肉薄ヒンジを介して蓋体を付設し、押下げ部材上部を覆合させてその蓋体で上記周壁上端面を閉塞させることで、その蓋体閉塞状態では押下げ部材を介してのポンプ操作を不能とすることが出来る。
【００３７】
請求項３記載のように第３係合筒34の下部外面一部へ低横長溝73とその一端から上方へ起立する高溝74とを設けておき、基筒部材の外向きフランジ状板24から起立する円筒71の下部内面に、低横長溝上面までとほぼ同一高さでかつ高溝内へ遊挿可能な横巾の突条72を付設し、該突条を低横長溝内で左右へ移動可能とすることで、押下げ部材を押下げ不能とするロックと、その押下げを可能とするロックの解除の各操作を容易とすることが出来る。
【００３８】
請求項４記載のように、吸水部材51に過剰に液体が供給されたとき、その過剰液体が支持部材が有する受板基部の透孔37を通り、更にシリンダ側上部内面と吐出筒外面との間の外気吸入路内へ入り、筒状ピストン下降時にシリンダ上部に穿設した外気吸入孔14を通って容器体内へ還流するよう設けることで、吸水部材に対する過剰な液体供給を防止でき、又その容器体内還流により還流液体が無駄となることがなく、再使用できる。
【００３９】
請求項５記載のように、装着筒22の内向きフランジ外周ないし該フランジを外方へ延長した外向きフランジ状板24から第１液洩れ防止用筒部を起立し、又該筒部上方のフランジ状受板33部分から第２液洩れ防止用筒部を垂下して、該筒部の先端部に弾性リング66を固着させ、該リングの一端部から突設した弾性フランジ状板67の先端部を第１液洩れ防止用筒部としての内周壁29ａ内壁面へ圧接させて液洩れ防止弁を形成することで、上記内向きフランジないし外向きフランジ状板24上へ、既述受板基部の透孔37を通って流下した液体がある状態で容器が倒れても、その液体は上記液洩れ防止弁により阻止されて液洩れすることはない。
【図面の簡単な説明】
【図１】  本発明容器の半断面図である。
【図２】  図１容器に使用する縦型ポンプの半断面図である。
【図３】  第２実施形態で示す容器の半断面図である。
【図４】  第３実施形態で示す容器の半断面図である。
【図５】  図４容器要部の説明図である。
【符号の説明】
11…縦型ポンプ            21…基筒部材
31…支持部材              41…押下げ部材
51…吸水部材              61…蓋体
【図１】
0003780447.tif 000002
【図２】
0003780447.tif 000003
【図３】
0003780447.tif 000004
【図４】
0003780447.tif 000005
【図５】
0003780447.tif 000006